【手続補正書】
【提出日】平成27年6月2日(2015.6.2)
【手続補正１】
【補正対象書類名】明細書
【補正対象項目名】００３２
【補正方法】変更
【補正の内容】
【００３２】
スピーカ１９は、コーデック２１からの信号に基づいて電気信号を音声信号に変換して音声を出力する。また、マイク２０は、音波を検知して電気信号に変換し、コーデック２１に出力する。コーデック２１は、符号化圧縮されたデジタル音声信号をデコードしてアナログ信号としてスピーカ１９へ送るとともに、マイク２０から入力された音声信号をエンコードしてＣＰＵ１１や通信回路２３へ出力する。なお、通話用のスピーカと音声を外部に出力するためのスピーカを別個に備えることとしてもよい。
【手続補正２】
【補正対象書類名】明細書
【補正対象項目名】００７３
【補正方法】変更
【補正の内容】
【００７３】
図１０は、第２実施形態の方角表示システム１において、電子時計４０で実行される方角表示処理のＣＰＵ４１による制御手順を示すフローチャートである。また、図１１は、第２実施形態の方角表示システム１において、スマートフォン１０ａで実行される位置情報取得処理及び位置情報比較処理のＣＰＵ１１による制御手順を示すフローチャートである。
【手続補正３】
【補正対象書類名】明細書
【補正対象項目名】００７９
【補正方法】変更
【補正の内容】
【００７９】
ステップＳ１２５ａの処理において送信されたＧＰＳ位置確認要求がスマートフォン１０ａにおいて受信されると、スマートフォン１０ａのＣＰＵ１１は、位置情報比較処理を実行する。図１１（ｂ）に示すように、ＣＰＵ１１は、ＧＰＳ衛星からの電波を受信し（ステップＳ２０１）、ＧＰＳ測位データが取得されると（ステップＳ２０２）、このＧＰＳ測位データと、電子時計４０からＧＰＳ位置確認要求と共に送信されたＩＤ値に対応して位置情報記憶部１４３に記憶された測位データとを比較し、両者が所定のずれ範囲内で一致するか否かを判別する（ステップＳ２１３）。そして、ＣＰＵ１１は、その比較結果を“ＹＥＳ”か“ＮＯ”を示す二値信号で電子時計４０に送信する（ステップＳ２１４）。そして、ＣＰＵ１１は、位置情報比較処理を終了する。
【手続補正４】
【補正対象書類名】特許請求の範囲
【補正対象項目名】全文
【補正方法】変更
【補正の内容】
【特許請求の範囲】
【請求項１】
外部機器と近距離無線通信を行うための無線通信手段と、
気圧を計測する気圧計測手段と、
当該気圧計測手段により計測された気圧を高度値に換算する換算手段と、
指定された方向の方位を計測する方位計測手段と、
入力操作を受け付ける操作手段と、
情報を表示する表示手段と、
前記計測された方位の登録命令の入力操作が検出された場合に、前記無線通信手段により外部の測位装置から現在位置情報を取得し、当該現在位置情報を登録位置情報として前記計測された方位である登録方位情報と関連付けて記憶させる登録制御手段と、
前記換算手段により換算された高度値と、前記記憶された前記登録位置情報に係る高度値との差が所定の範囲内にある前記登録位置情報を抽出する登録位置抽出手段と、
当該登録位置抽出手段により一以上の前記登録位置情報が抽出された場合には、前記測位装置により測定された現在位置と、前記抽出された登録位置情報に係る位置とにより、当該登録位置情報に関連付けて記憶された前記登録方位情報に係る方角を前記表示手段により指示させる表示制御手段と
を備えることを特徴とする方角表示装置。
【請求項２】
前記計測された方位である登録方位情報を記憶する記憶手段を備え、
前記表示制御手段は、
前記無線通信手段により前記測位装置から現在位置情報を取得し、当該現在位置情報に係る現在位置と、前記抽出された登録位置情報に係る位置との間の距離を算出して、当該算出された距離が所定の距離以内であるか否かを判別する位置一致判別手段と、
前記位置一致判別手段により前記所定の距離以内であると判別された場合に、当該判別がなされた登録位置情報と関連付けて記憶された前記登録方位情報に係る方角を前記表示手段により指示させる方角表示制御手段と
を備えることを特徴とする請求項１記載の方角表示装置。
【請求項３】
前記表示制御手段は、
前記測位装置から前記無線通信手段により、現在位置と、前記抽出された登録位置情報に係る位置との間の距離が所定の距離以内にあるか否かに係る判別結果を取得する位置確認手段と、
前記位置確認手段により前記所定の距離以内であると判別された場合に、当該判別の対象となった登録位置情報と関連付けて記憶された前記登録方位情報に係る方角を前記表示手段により指示させる方角表示制御手段と
を備えることを特徴とする請求項１記載の方角表示装置。
【請求項４】
前記計測された方位の登録命令の入力操作を検出する登録命令検出手段又は前記登録位置抽出手段のうち、何れか一方を選択的に動作させる入出力切替制御手段を備える
ことを特徴とする請求項１〜３の何れか一項に記載の方角表示装置。
【請求項５】
前記入出力切替制御手段は、前記操作手段への所定の入力操作に基づいて動作の切り替えを行うことを特徴とする請求項４記載の方角表示装置。
【請求項６】
前記登録位置抽出手段は、前記表示手段により未だ方角が指示されていない前記登録方位情報に関連付けられた前記登録位置情報のうち、最新の登録位置情報に係る高度値との差が所定の範囲内にある場合にのみ、当該登録位置情報を抽出する
ことを特徴とする請求項４又は５記載の方角表示装置。
【請求項７】
所定の報知動作を行う報知手段を備え、
前記表示制御手段は、前記表示手段に方角を指示させる場合に、前記報知手段に前記所定の報知動作を行わせることを特徴とする請求項１〜６の何れか一項に記載の方角表示装置。
【請求項８】
前記換算手段は、前記測位装置から現在位置情報が取得されるごとに、当該現在位置情報に係る高度値と、前記気圧計測手段により計測された気圧とに基づいて、換算に係るパラメータを補正する
ことを特徴とする請求項１〜７の何れか一項に記載の方角表示装置。
【請求項９】
外部機器と近距離無線通信を行うための外部通信手段と、
複数の測位衛星から電波を受信することで現在位置を測定する測位手段と、
当該測位手段による測定のタイミングと、当該測定の結果に係る現在位置情報の送信出力とを制御する測位制御手段と
を備える測位装置と、
請求項１記載の方角表示装置と
によって構成される方角表示システムにおいて、
前記測位制御手段は、前記外部通信手段により受信された前記方角表示装置からの要求に従って、前記測位手段による測定の結果に係る現在位置情報を前記外部通信手段により前記方角表示装置に送信させる
ことを特徴とする方角表示システム。
【請求項１０】
前記測位制御手段は、前記方角表示装置からの要求を受信するごとに、前記測位手段に現在位置の測定を行わせ、当該測定の結果に係る現在位置情報を前記外部通信手段により前記方角表示装置に送信させる
ことを特徴とする請求項９記載の方角表示システム。
【請求項１１】
前記測位装置は、前記測位手段によって測定された現在位置を記憶する外部記憶手段を備え、
前記測位制御手段は、
前記方角表示装置から前記登録制御手段に係る要求が受信された場合の動作を制御する第１測位制御手段と、
前記方角表示装置から前記表示制御手段に係る要求が受信された場合の動作を制御する第２測位制御手段と、
を備え、
前記登録制御手段は、前記登録命令の入力操作が検出された場合には、当該登録命令に対する識別情報を設定して当該識別情報を前記測位装置に送信し、
前記第１測位制御手段は、前記測位手段により測定された現在位置を前記識別情報と関連付けて前記外部記憶手段に記憶させると共に、前記外部通信手段に前記現在位置情報として高度情報のみを送信させ、
前記登録制御手段は、前記登録方位情報と、前記測位装置から前記登録位置情報として取得した高度情報とを前記識別情報に関連付けて記憶させ、
前記表示制御手段は、前記登録位置抽出手段により一以上の前記登録位置情報が抽出された場合には、前記無線通信手段により前記測位装置に対し、当該抽出された前記登録位置情報に関連付けられた前記識別情報と共に現在位置確認要求を送信させ、
前記第２測位制御手段は、前記測位手段により測定された現在位置と、受信された前記識別情報に関連付けられて前記外部記憶手段に記憶されている現在位置との間の距離が所定の距離以内であるか否かを判別して、前記外部通信手段により前記現在位置確認要求に対して当該判別の結果に基づく確認結果を返信させ、
前記表示制御手段は、前記測位装置から取得された当該確認結果に基づいて、前記登録方位情報に係る方角の表示を前記表示手段に行わせるか否かを決定する
ことを特徴とする請求項９又は１０記載の方角表示システム。